(57)【要約】【課題】メガネフレームのヨロイを取付ける場合、従来のようなロウ付けすることなく、該ヨロイを正しく位置決めしてネジ止めすることが出来る取付け構造の提供。【解決手段】リム１の外側にはリム切口にリムロック２を設け、ヨロイ端部には正面板９と背面板１０を有す嵌合部８を形成している。この嵌合部８にリムロック２を嵌合してヨロイ７を取付けると共に、下方から挿通したネジ１３をヨロイ７のネジ穴１２に螺合し、さらにはヨロイ７の背面側から挿通したネジ１４をリムロック２のネジ穴５に螺合して締付け・固定する。【選択図】　　　　図２
2004045712.tif 000002
【特許請求の範囲】
【請求項１】
メガネフレームのリム外側に設けられて、継手を介してツルを折畳み出来るように連結するヨロイの取付け構造において、リムの外側にはリムの切り口にリムロックを設け、ヨロイ端部には正面板と背面板を有す嵌合部を形成し、この嵌合部にリムロックを嵌合してヨロイを取付けると共に、下方から挿通したネジをヨロイのネジ穴に螺合して固定したことを特徴とするメガネフレームのヨロイ取付け構造。
【請求項２】
ヨロイの背面側から挿通したネジをリムロックのネジ穴に螺合して締付けた請求項１記載のメガネフレームのヨロイ取付け構造。
【請求項３】
上記リムロックのリムロック上片の長さをリムロック下片より短くし、リムロック下片に設けた穴からネジを挿通してヨロイのネジ穴に螺合した請求項１、又は請求項２記載のメガネフレームのヨロイ取付け構造。
【発明の詳細な説明】
【０００１】
【発明の属する技術分野】
本発明はメガネフレームのフロント部両側に取着されてツルを連結する為のヨロイ取付け構造に関するものである。
【０００２】
【従来の技術】
図５は従来の一般的な金属製メガネフレームを示している。該メガネフレームは両リム（イ）、（イ）を連結部材（ロ）によって連結し、リム（イ）、（イ）の外側には概略Ｌ型をしたヨロイ（ハ）、（ハ）が取着され、そしてヨロイ（ハ）、（ハ）にはツル（ニ）、（ニ）が蝶番（ホ）、（ホ）を介して折畳み出来るように取付けられている。又、リム（イ）、（イ）の内側には鼻当てパット（ヘ）、（ヘ）が備わっている。
【０００３】
ところで、リム（イ）には所定のレンズが嵌ることになるが、該レンズをリム（イ）に嵌める為に、リム（イ）には切り口を設けて開くことが出来るように、しかも嵌ったレンズが外れないように成っている。そこで、リム切り口にはリムロックが設けられ、上記ヨロイ（ハ）の内側（背面側）に位置していて、正面から見えないようにカバーされている。
【０００４】
図６はヨロイ（ハ）を取付ける前（ａ）と取付けた後（ｂ）の状態を示しているように、リム切り口にはリムロック上片（ト）とリムロック下片（チ）がロウ付けされ、下から挿入するネジ（リ）によってリムロック上片（ト）とリムロック下片（チ）が締付けられ、リム（イ）に嵌ったレンズは外れないようになる。そしてヨロイ（ハ）の端部はリムロック上片（ト）にロウ付けされている。
【０００５】
ところで、上記ヨロイ（ハ）をロウ付けする場合、高温に加熱しなくてはならず、この熱によってヨロイ（ハ）がなまってしまい、強度の低下をもたらす。そして、小売店にてメガネを販売する時に、ツルの位置を調整する際にヨロイを捩ることで外れることもある。このような時に再度ロウ付け修理を行うには特殊なロウ付け装置が必要であると共に修理に時間がかかる。一般的には小売店でロウ付け修理を行うことは、装置だけでなく技術もないことから困難である。
【０００６】
【発明が解決しようとする課題】
このように、ヨロイをロウ付けする場合、上記のごとき問題がある。本発明が解決しようとする課題はこれら問題点であり、ヨロイを正しく位置決めしてネジ止めする取付け構造を提供する。
【０００７】
【課題を解決する為の手段】
本発明のヨロイ取付け構造はロウ付け箇所を無くしてヨロイを取着するものであり、ネジ止めしたり、ピンを嵌めたりして外れないように固定する。又ヨロイの端部には凹部が形成され、リム切り口に設けているリムロックが嵌って位置決めされ、この状態で上記ピン止め及びネジ止めされる。ここで、ピンとネジ又は２本のネジを用いる場合には、水平方向と垂直方向に掛け合うようにすることで一段と安定して固定される。以下、本発明に係る実施例を図面に基づいて詳細に説明する。
【０００８】
【実施例】
図１は本発明に係るヨロイ取付け構造を示している実施例である。リム１にはレンズ（図示なし）を着脱する為に、リム切り口にはリムロック２を設け、該リムロック２はリムロック上片３とリムロック下片４から成っている。そして両リムロック上片３とリムロック下片４が互いに繋がれることで、リム１の切り口が開口することはなく、嵌めたレンズが外れることもない。
【０００９】
リムロック上片３はリムロック下片４より短く成っていて、水平方向に貫通したネジ穴５を有している。又リムロック下片４の先端には穴６が上下方向に貫通している。ヨロイ７は取付けられていないが、上記リムロック２が嵌合することが出来る嵌合部８を形成している。（ａ）に示している正面図から明らかなように、長さが違うリムロック上片３とリムロック下片４が嵌合することが出来るように、嵌合部８の底は段が形成されている。
【００１０】
そして、正面側には正面板９を設け、背面側には背面板１０を有し、リムロック２が嵌合部８に嵌合することで、ヨロイ７は位置決めされる。又該ヨロイ７には水平方向に穴１１が、上下方向にネジ穴１２を有していて、嵌合部８に嵌合したリムロック２とヨロイ７とはこれらネジ穴５，１２にネジを螺合して固定される。
【００１１】
図２はヨロイ７をリムロック２に取付けた場合であるが、リムロック上片３とリムロック下片４から成るリムロック２は正面板９と背面板１０に挟まれて嵌合部８に嵌り、下方からネジ１３をリムロック下片４に設けた穴６に挿通し、そして、ヨロイ７に設けているネジ穴１２に螺合する。従って、ヨロイ７はリムロック２に正しく位置決めされた状態で固定される。
【００１２】
一方、ネジ１４はヨロイ７の背面方向から穴１１を挿通し、リムロック上片３に設けているネジ穴５に螺合する。このように、該ヨロイ７は上下方向と水平方向に螺合する２本のネジ１３，１４によって固定され、その結果、該ヨロイ７はガタ付くことなく安定する。
【００１３】
図３は本発明に係るヨロイ取付け構造を示す他の実施例である。基本的な構造は前記実施例と同じであるが、リム１の切り口に設けているリムロック２の形態が多少異なり、リムロック上片１５とリムロック下片１６は同じ長さと成ってリム１の外方向へ突出している。
【００１４】
そしてリムロック２には上下方向に貫通している穴１７と水平方向貫通しているネジ穴１８が設けられ、このリムロック２にヨロイ１９が取付けられる。ヨロイ１９にはリムロック２が嵌合する為に、正面板２０と背面板２１を設けた嵌合部２２を有し、該嵌合部２２に上記リムロック２が嵌った状態でネジ２３，２４が螺合して締付け・固定される。
【００１５】
図４はヨロイ１９がリムロック２に取付けられた状態を示している。この状態でネジ２３はリムロック２に設けている穴１７を挿通してヨロイ１９のネジ穴２５螺合し、又ネジ２４はヨロイ１９の背面側からリムロック２のネジ穴１８に螺合して締付けられる。
【００１６】
以上述べたように、本発明に係るヨロイ取付け構造は、ヨロイに嵌合部を形成し、この嵌合部にリムの切り口に設けているリムロックを嵌合して取付けると共に、ネジ止めしたものであり、次のような効果を得ることが出来る。
【００１７】
【発明の効果】
本発明のヨロイ取付け構造は、リムロックがヨロイに設けている嵌合部に嵌ってネジ止めしたものであり、ロウ付け箇所はない。従って、ロウ付けする際に発生する高熱によって材質がなまされ、ヨロイ強度が低下するといった問題を解決することが出来る。そして、ヨロイはリムが嵌合部に嵌合することで正しく位置決めされた状態でネジ止めされる為に、該ヨロイから延びるツルの位置も正しくなり、ロウ付けのような熟練は必要としない為に小売店であってもヨロイの交換が出来る。
【００１８】
一方、ロウ付けしないことで、ヨロイは単独でメッキ処理することが出来、リムとは違った色彩のヨロイとして取付けることで、メガネフレームの装飾効果を向上させることが出来る。一方、ヨロイはその嵌合部にリムロックを嵌めてネジ止め固定されるが、２本のネジを使用し、上下方向と水平方向にそれぞれ螺合することで、取付けたヨロイのガタ付きを無くし、より安定したヨロイとなる。
【図面の簡単な説明】
【図１】本発明の実施例で、ヨロイを取付ける前の状態。
【図２】本発明の実施例で、ヨロイを取付けた後の状態。
【図３】本発明の他の実施例で、ヨロイを取付ける前の状態。
【図４】本発明の他の実施例で、ヨロイを取付けた後の状態。
【図５】一般的なメガネフレーム。
【図６】従来のロウ付けによるヨロイ取付け構造。
【符号の説明】
１　リム
２　リムロック
３　リムロック上片
４　リムロック下片
７　ヨロイ
８　嵌合部
１５　リムロック上片
１６　リムロック下片
１９　ヨロイ
２２　嵌合部
【図１】
2004045712.tif 000003
【図２】
2004045712.tif 000004
【図３】
2004045712.tif 000005
【図４】
2004045712.tif 000006
【図５】
2004045712.tif 000007
【図６】
2004045712.tif 000008